(57)【特許請求の範囲】
【請求項１】
積層状態で載置された複数枚のシートを１枚ずつ分離して送り出すためのシート送り装置であって、
シートの積層方向一端側に配置され、シートに接触して回転することによりシートに搬送力を付与するローラと、
シートの積層方向他端側に配置され、シートに接触して搬送抵抗をシートに付与する分離片と、
前記分離片を挟んで前記ローラと反対側に配設され、前記ローラに対して変位可能な可動部材と、
前記ローラと前記分離片とのニップ部より上流側でシートに接触してシートを前記ローラ側に押圧するとともに、前記分離片を挟んで両側に配設されてシートの搬送方向に沿って延びた一対のバネアームと、
前記一対のバネアーム間を橋渡すように前記一対のバネアームを連結する架橋部とを備え、
少なくともシートを送出可能な状態においては、前記架橋部と前記可動部材とは、互いに摺接可能な状態で接触していることを特徴とするシート送り装置。
【請求項２】
前記可動部材のうち前記架橋部と摺接する部位は、薄膜状の摺動部材にて構成されていることを特徴とする請求項１に記載のシート送り装置。
【請求項３】
前記摺動部材は、樹脂製のフィルム材であることを特徴とする請求項２に記載のシート送り装置。
【請求項４】
前記架橋部のうち前記可動部材と摺接する部位には、前記架橋部の一部が折り曲げられて前記可動部材と摺接する摺接面が設けられていることを特徴とする請求項１ないし３のいずれか１項に記載のシート送り装置。
【請求項５】
前記分離片が前記ローラから離隔した場合であっても、前記可動部材と前記架橋部とが接触していることを特徴とする請求項１ないし４のいずれか１項に記載のシート送り装置。
【請求項６】
前記可動部材は、シートの搬送方向上流側を中心として揺動可能であり、
前記一対のバネアームはシートの搬送方向上流側が固定されて下流側に延び、
前記一対のバネアームの延び方向先端側に前記架橋部が設けられており、
さらに、前記架橋部は、前記可動部材のうちシートの搬送方向下流側の部位と摺接可能に接触していることを特徴とする請求項１ないし５のいずれか１項に記載のシート送り装置。
【請求項７】
前記一対のバネアームには、樹脂製の制振部材が装着されていることを特徴とする請求項１ないし６のいずれか１項に記載のシート送り装置。
【請求項８】
原稿を読み取る読取部と、
前記読取部に原稿を送り出す請求項１ないし７のいずれか１項に記載のシート送り装置と
を備えることを特徴とする画像読取装置。
【発明の詳細な説明】
【技術分野】
【０００１】
本発明は、積層状態で載置された複数枚のシートを１枚ずつ分離して送り出すためのシート送り装置に関するものである。
【背景技術】
【０００２】
例えば、特許文献１に記載の発明では、ローラと分離片とにより積層状態で載置された複数枚のシートを１枚ずつ分離して送り出している。そして、一対の板バネ状の補助バネにてシートをローラに押圧することにより、ローラの空転を防止している。
【先行技術文献】
【特許文献】
【０００３】
【特許文献１】特開平１１−５９９３４号公報
【発明の概要】
【発明が解決しようとする課題】
【０００４】
しかし、特許文献１に記載の発明では、分離片を保持するホルダや補助バネ等の振動により異音が発生する場合がある。
本発明は、上記点に鑑み、シート送り装置で発生する異音を低減することを目的とする。
【課題を解決するための手段】
【０００５】
本発明は、上記目的を達成するために、積層状態で載置された複数枚のシートを１枚ずつ分離して送り出すためのシート送り装置であって、シートの積層方向一端側に配置され、シートに接触して回転することによりシートに搬送力を付与するローラ（７１）と、シートの積層方向他端側に配置され、シートに接触して搬送抵抗をシートに付与する分離片（７２）と、分離片（７２）を保持した状態で変位可能な可動部材（７３）と、ローラ（７１）と分離片（７２）とのニップ部より上流側でシートに接触してシートをローラ（７１）側に押圧するとともに、分離片（７２）を挟んで両側に配設されてシートの搬送方向に沿って延びた一対のバネアーム（７５Ａ）と、一対のバネアーム（７５Ａ）間を橋渡すように一対のバネアーム（７５Ａ）を連結する架橋部（７６）とを備え、少なくともシートを送出可能な状態においては、架橋部（７６）と可動部材（７３）とは、互いに摺接可能な状態で接触していることを特徴とする。
【０００６】
これにより、本発明では、可動部材（７３）、分離片（７２）及びバネアーム（７５Ａ）のうちいずれか振動すると、架橋部（７６）と可動部材（７３）とが互いに摺接するので、その振動を減衰させることができる。したがって、シート送り装置で発生する異音を低減することができる。
【０００７】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【０００８】
【図１】本発明の実施形態に係る複合機の斜視図である。
【図２】本発明の実施形態に係る複合機の中央断面図である。
【図３】本発明の実施形態に係る自動原稿搬送機構及び読取部の断面図である。
【図４】本発明の実施形態に係る自動原稿搬送機構の断面図である。
【図５】本発明の実施形態に係る自動原稿搬送機構の断面図である。
【図６】（ａ）及び（ｂ）は分離片７２、バネアーム７５Ａ及び可動部材７３の斜視図である。
【図７】閉ポジション時における自動原稿搬送機構の拡大断面図である。
【図８】開ポジション時における自動原稿搬送機構の拡大断面図である。
【発明を実施するための形態】
【０００９】
以下に説明する「発明の実施形態」は実施形態の一例を示すものである。つまり、特許請求の範囲に記載された発明特定事項等は、下記の実施形態に示された具体的手段や構造等に限定されるものではない。
【００１０】
そして、本実施形態は、ファクシミリ機能、複写（コピー）機能、及び印刷（プリンタ）機能を兼ね備えた複合機に、本発明に係るシート送り装置及び画像読取装置を適用したものである。以下、本発明の実施形態を図面と共に説明する。
【００１１】
１．複合機の概要
本実施形態に係る複合機１では、図１に示すように、上面側に設定された傾斜面３に操作部３Ａ及び表示部３Ｂ等を有する操作パネル３Ｃが設けられている。操作部３Ａは、ファクシミリ機能及び複写機能等を使用する際に利用者により操作される部位である。表示部３Ｂは各種の情報を利用者等に報知する。
【００１２】
操作パネル３Ｃの下方側には、図２示すように、原稿に記載された文字や図形等の情報を読み取る読取部５が設けられている。読取部５は、ファクシミリ機能又は複写機能が実行される際に稼働するものである。そして、本発明に係るシート送り装置は、当該読取部５にシート状の原稿を送り出す自動原稿搬送機構７に適用されている。
【００１３】
読取部５及び自動原稿搬送機構７の下方側には、空間を隔てて用紙等のシートに画像を形成する画像形成部９が設けられている。画像形成部９は、電話回線を介して受信したファクシミリデータ又はコンピュータ等から送信されてきた印刷データをシートに印刷する。
【００１４】
なお、本実施形態に係る画像形成部９は、現像剤をシートに転写することによりシートに画像を形成する電子写真方式の画像形成部である。具体的には、感光ドラム９Ａを有する現像ユニット９Ｂ、感光ドラム９Ａを露光する露光器９Ｃ、感光ドラム９Ａに担持されている現像剤像をシートに転写する転写体９Ｄ、及び現像剤を加熱してシートに転写された現像剤像を定着させる定着器９Ｅ等から構成されている。
【００１５】
２．自動原稿搬送機構等の構成
２．１  自動原稿搬送機構及び読取部の概要
自動原稿搬送機構７は、図２に示すように、読取部５より原稿の搬送方向上流側に設けられている。なお、本実施形態においては、原稿は、複合機１の後方側に設けられた原稿トレイ１１から複合機１の前方側に設けられた排出トレイ１３に向けて原稿が搬送される。
【００１６】
すなわち、自動原稿搬送機構７は、図３に示すように、原稿トレイ１１に積層状態で載置された複数枚の原稿を１枚ずつ分離して読取部５に送り出す。読取部５は、自動原稿搬送機構７から搬送されてきた原稿を排出トレイ１３側に搬送しながら文字等の情報を読み取る。そして、読取が完了した原稿は、順次、排出トレイ１３に積層されるように載置される。
【００１７】
読取部５は、プラテン５Ａ、撮像素子５Ｂ、原稿押さえ５Ｃ、一対の搬送ローラ５Ｄ、及び一対の搬送ローラ５Ｅ等を有して構成されている。プラテン５Ａは、原稿を下方側から支持する透明な部材である。撮像素子５Ｂは、原稿で反射した光を電気信号に変換するＣＩＳ（Contact Image Sensor）等である。
【００１８】
原稿押さえ５Ｃは、搬送されてきた原稿をプラテン５Ａに押し付ける。一対の搬送ローラ５Ｄは、プラテン５Ａより原稿搬送方向上流側に配置されて原稿を搬送する。一対の搬送ローラ５Ｅは、プラテン５Ａより原稿搬送方向下流側に配置されて原稿を搬送する。
【００１９】
なお、原稿の搬送経路Ｌｏは、搬送経路Ｌｏを挟んで一方側に配設されたベース部材１５と他方側に配設されたパネル部材１７とにより構成されている。つまり、ベース部材１５及びパネル部材１７が、原稿のシート面と直交する方向に対向配置されて搬送経路Ｌｏが構成されている。因みに、本実施形態では、「原稿のシート面と直交する方向」は水平方向に対して交差する方向、つまり概ね鉛直方向と一致する。
【００２０】
ベース部材１５は、図２に示すように、連結部１５Ａを介して画像形成部９に固定されている。パネル部材１７は、ベース部材１５に対して近接又は離間できるように、ベース部材１５に揺動可能に組み付けられている。具体的には、パネル部材１７は、図４に示すベース部材１５に対して近接して搬送経路Ｌｏを閉じた閉ポジションと、図５に示すベース部材１５に対して離隔して搬送経路Ｌｏを開放する開ポジションとの間で揺動できる。
【００２１】
因みに、プラテン５Ａ、撮像素子５Ｂ、一対の搬送ローラ５Ｄのうち一方のローラ、及び一対の搬送ローラ５Ｅのうち一方のローラはベース部材１５に配設されている。原稿押さえ５Ｃ、一対の搬送ローラ５Ｄのうち他方のローラ、及び一対の搬送ローラ５Ｅのうち他方のローラはパネル部材１７に配設されている。このため、パネル部材１７を開ポジションとすると、搬送経路Ｌｏが開放されるので、搬送経路Ｌｏに詰まった原稿を容易に除去することができる。
【００２２】
２．２  自動原稿搬送機構の詳細
原稿トレイ１１は、図４に示すように、水平方向に対して傾斜した傾斜面にて構成され、かつ、読取部５に送り出される複数枚の原稿は、上下方向に積層された状態で原稿トレイ１１に載置される。このため、原稿トレイ１１に載置された１枚又は複数枚の原稿は、自身に作用する重力により原稿トレイ１１の下端側に移動する。
【００２３】
原稿トレイ１１の下端側には、分離ローラ７１が配設されている。分離ローラ７１は、原稿の積層方向下端側に配置され、原稿に接触して回転することにより原稿に搬送力を付与する。なお、分離ローラ７１はベース部材１５に組み付けられており、電動モータ（図示せず。）から駆動力を得て回転する。
【００２４】
一方、原稿の積層方向上端側には、原稿に接触して原稿に搬送抵抗を原稿に付与する分離片７２が設けられている。この分離片７２は、分離ローラ７１と対向する位置にて原稿に接触する。なお、分離片７２は、シリコンゴムやウレタンゴム等の弾性変形可能な材質からなるものであって、紙等の原稿に対して比較的大きな摩擦係数を有する。
【００２５】
分離片７２は、原稿との接触部から搬送方向上流側に延びる帯板状に形成され、かつ、その搬送方向上流側端部７２Ａがパネル部材１７に固定されている。つまり、分離片７２は、その長手方向一端側端部７２Ａがパネル部材１７に固定され、他端側７２Ｂが分離ローラ７１に対して近接又は離間するように変位することにより、原稿の厚み寸法変化を吸収しながら原稿に接触する。
【００２６】
また、分離片７２を挟んで分離ローラ７１と反対側には、分離ローラ７１に対して変位可能な可動部材７３が配設されている。可動部材７３は、図６に示すように、分離片７２と接触する当接部７３Ａ、可動部材７３を揺動可能に支持する揺動軸７３Ｂ、及びバネ７４からの弾性力を受けるバネ座７３Ｃ等を有して構成されている。
【００２７】
揺動軸７３Ｂは、可動部材７３のうち当接部７３Ａより搬送方向上流側に設けられている。バネ７４は、圧縮された状態でパネル部材１７と可動部材７３との間に配設されている。このため、バネ７４は、当接部７３Ａを分離片７２に押し付ける弾性力を可動部材７３に作用させるので、分離片７２は分離ローラ７１側に押し付けられる。
【００２８】
揺動軸７３Ｂは、パネル部材１７に設けられた軸受部（図示せず。）に組み付けられている。そして、当接部７３Ａ、揺動軸７３Ｂ、及び箱状のバネ座７３Ｃは、ＡＢＳ、ＰＳ、及びＰＯＭ等の樹脂にて一体成形されて可動部材７３が構成されている。
【００２９】
また、分離片７２を挟んで幅方向両側には、一対のバネアーム７５Ａが配設されている。これらバネアーム７５Ａは、図４に示すように、分離ローラ７１と分離片７２とのニップ部Ｐｎより搬送方向上流側で原稿に接触して原稿を分離ローラ７１側に押圧する。なお、「幅方向」とは、揺動軸７３Ｂの軸方向と平行な方向をいい、本実施形態では、原稿の搬送方向及び積層方向と直交する方向と平行な方向である。
【００３０】
一対のバネアーム７５Ａは、図６（ｂ）に示すように、その長手方向のうち搬送方向上流側端部がパネル部材１７に固定されているとともに、当該固定側から搬送方向に沿って下流側に延びて、その延び方向先端側にて原稿に接触する板バネ状のものである。
【００３１】
なお、本実施形態に係るバネアーム７５Ａは、ネジ等の着脱可能な締結手段により、分離片７２と共にパネル部材１７に組み付け固定されている。そして、バネアーム７５Ａの延び方向先端側には、原稿側、つまり分離ローラ７１側が凸となるよう湾曲した曲面７５Ｂが設けられている。
【００３２】
また、一対のバネアーム７５Ａのうち搬送方向下流側には、曲面７５Ｂからパネル部材１７側（本実施形態では、上方側）に立ち上がるように延びる延出部７５Ｃが設けている。そして、一対のバネアーム７５Ａは、一対の延出部７５Ｃ間を渡すように幅方向に延びる架橋部７６により連結されている。因みに、本実施形態では、一対のバネアーム７５Ａ及び架橋部７６は、ばね鋼等の金属にて一体形成されている。
【００３３】
そして、一対のバネアーム７５Ａには、ＰＣ，ＰＥＴ等の樹脂からなる制振部材７５Ｄが装着されている。なお、本実施形態に係る制振部材７５Ｄは、バネアーム７５Ａのうち固定側から曲面７５Ｂに至る部位であって、分離ローラ７１と反対側の部位に貼付されている。
【００３４】
一方、可動部材７３のうち搬送方向下流側端部であって、架橋部７６に対応する部位には、薄膜状の摺動部材７３Ｄが設けられている。この摺動部材７３Ｄは、ＰＥＴ等の弾性的に変形することが可能な樹脂材料にて構成されている。
【００３５】
なお、本実施形態に係る可動部材７３は、ＰＯＭ等の機械的強度に優れた樹脂であって、摺動部材７３Ｄと異種の樹脂にて構成されていることから、摺動部材７３Ｄは両面テープや接着剤にて可動部材７３に貼付されている。
【００３６】
そして、パネル部材１７が閉ポジションとなって原稿を送り出すことが可能な状態となっているときには、図７に示すように、架橋部７６と可動部材７３の一部である摺動部材７３Ｄとは、互いに摺接可能な状態で接触している。
【００３７】
すなわち、架橋部７６のうち摺動部材７３Ｄと摺接する部位には、摺動部材７３Ｄと摺接する摺接面７６Ａが設けられている。この摺接面７６Ａは、架橋部７６の一部が折り曲げられて架橋部７６に一体形成されている。
【００３８】
一方、摺動部材７３Ｄは、延出部７３Ｅ及び折曲部７３Ｆを有し、幅方向から見て略Ｌ字状に形成されている。延出部７３Ｅは、可動部材７３のうち搬送方向下流側端部からパネル部材１７側（本実施形態では、上方側）に延出して摺接面７６Ａと接触する部位である。折曲部７３Ｆは、摺動部材７３Ｄのうち、延出部７３Ｅの延出方向先端（本実施形態では、上端）側から搬送方向下流側に向けて折り曲げられて形成されたものである。
【００３９】
そして、パネル部材１７が閉ポジションとなって原稿を送出可能な状態となると、バネアーム７５Ａの先端側及び分離片７２は、分離ローラ７１に接触してパネル部材１７側に向けて押圧されるため、バネアーム７５Ａの先端側及び可動部材７３の当接部７３Ａは、開ポジション時に比べてパネル部材１７に近接する。
【００４０】
これに伴って、架橋部７６及び摺接面７６Ａは、開ポジション時に比べて搬送方向上流側に位置するため、摺動部材７３Ｄは、延出部７３Ｅが開ポジション時に比べて搬送方向上流側に位置するように弾性変形した状態で摺接面７６Ａと接触する。つまり、閉ポジション時においては、摺動部材７３Ｄ、つまり可動部材７３と架橋部７６とは、開ポジション時に比べて大きな接触面圧で接触する。
【００４１】
一方、パネル部材１７が開ポジションとなって分離片７２が分離ローラ７１から離隔した場合であっても、図８に示すように、可動部材７３の一部である摺動部材７３Ｄと架橋部７６とが接触している。
【００４２】
具体的には、パネル部材１７が開ポジションとなって分離片７２が分離ローラ７１から離隔すると、バネアーム７５Ａ及びバネ７４が復元するので、バネアーム７５Ａの先端側及び可動部材７３の当接部７３Ａは、閉ポジション時に比べて、パネル部材１７から離間する。
【００４３】
これに伴って、架橋部７６及び摺接面７６Ａが、摺動部材７３Ｄの延出部７３Ｅから離隔するように搬送方向下流側に復元変位する。しかし、摺動部材７３Ｄもその弾性変形が開放されるように搬送方向下流側に復元変位するため、延出部７３Ｅ、つまり摺動部材７３Ｄと架橋部７６との接触状態が維持される。
【００４４】
なお、本実施形態では、パネル部材１７が開ポジションとなって分離片７２が分離ローラ７１から離隔した場合に、何らかの原因により、仮に、延出部７３Ｅと摺接面７６Ａとが離隔した場合であっても、折曲部７３Ｆの分離ローラ７１側の面、つまり折曲部７３Ｆの下面に架橋部７６が接触する、又は折曲部７３Ｆの下面側に架橋部７６が位置するように、延出部７３Ｅ及び折曲部７３Ｆの形状及び寸法等が選定されている。
【００４５】
３．本実施形態に係る複合機の特徴
本実施形態では、原稿を送出することが可能な状態においては、架橋部７６と可動部材７３とは、互いに摺接可能な状態で接触していることを特徴としている。
【００４６】
これにより、本実施形態では、可動部材７３、分離片７２及びバネアーム７５Ａのうちいずれか振動すると、架橋部７６と可動部材７３とが互いに摺接するので、その振動を減衰させることができる。したがって、自動原稿搬送機構７で発生する異音を低減することができる。
【００４７】
また、本実施形態では、可動部材７３のうち架橋部７６と摺接する部位は、薄膜状の摺動部材７３Ｄにて構成されていることを特徴としている。
これにより、本実施形態では、可動部材７３のうち架橋部７６に摺接する部位が、架橋部７６のうち可動部材７３の摺接する部位の形状に沿うように変形するとともに、可動部材７３と架橋部７６との摺接面積を増大させることができる。
【００４８】
したがって、可動部材７３と架橋部７６とを確実に接触した状態で擦れ合わせることができるので、可動部材７３及びバネアーム７５Ａ等の振動を確実に減衰させることができる。
【００４９】
また、本実施形態では、架橋部７６のうち可動部材７３と摺接する部位には、架橋部７６の一部が折り曲げられて可動部材７３と摺接する摺接面７６Ａが設けられていることを特徴としている。
【００５０】
これにより、本実施形態では、可動部材７３と架橋部７６との摺接面積を確実に増大させることができるので、可動部材７３及びバネアーム７５Ａ等の振動を確実に減衰させることができる。
【００５１】
さらに、架橋部７６の一部が折り曲げられて可動部材７３と摺接する摺接面７６Ａが形成されているので、架橋部７６の断面二次モーメントが大きくなり、架橋部７６の曲げ剛性が向上する。
【００５２】
したがって、例えば、自動原稿搬送機構７に詰まった原稿を除去する際に、その除去される原稿と架橋部７６と干渉してしまった場合であっても、架橋部７６が変形してしまう等の損傷の発生を抑制できる。なお、この効果は、本実施形態のごとく、架橋部７６が薄板で構成されている場合には、特に有効である。
【００５３】
また、本実施形態では、一対のバネアーム７５Ａには、樹脂製の制振部材７５Ｄが装着されていることを特徴としている。
これにより、本実施形態では、バネアーム７５Ａの振動モードが変化するので、異音の発生に起因する振動の発生を抑制することができる。
【００５４】
また、本実施形態では、制振部材７５Ｄがバネアーム７５Ａのうち分離ローラ７１と反対側の部位に装着されているので、搬送される原稿と制振部材７５Ｄとが干渉してしまうことを未然に防止でき、原稿を確実に搬送することができる。
【００５５】
ところで仮に、分離片７２が分離ローラ７１から離隔したときに、可動部材７３と架橋部７６とが非接触となってしまうと、可動部材７３が再び架橋部７６に近接したときに、可動部材７３と架橋部７６とが適切な状態で摺接しないおそれがある。
【００５６】
しかし、本実施形態では、分離片７２が分離ローラ７１から離隔した場合であっても、可動部材７３と架橋部７６とが接触していることを特徴としているので、可動部材７３と架橋部７６とを常に適切な状態で摺接させることが可能となる。
【００５７】
さらに、分離片７２が分離ローラ７１から離隔した場合に、何らかの原因により、仮に、延出部７３Ｅと摺接面７６Ａとが離隔した場合であっても、折曲部７３Ｆの下面に架橋部７６が接触する、又は折曲部７３Ｆの下面側に架橋部７６が位置するように摺動部材７３Ｄが構成されているので、可動部材７３と架橋部７６とを常に適切な状態で摺接させることが可能となる。
【００５８】
（その他の実施形態）
上述の実施形態では、本発明を自動原稿搬送機構７に用いたが、本発明の適用はこれに限定されるものではなく、例えば給紙装置に適用することができる。
【００５９】
また、上述の実施形態では、可動部材７３のうち架橋部７６と摺接する部位に摺動部材７３Ｄを設けたが、本発明はこれに限定されるものではなく、例えば摺動部材７３Ｄを廃止してもよい。
【００６０】
また、上述の実施形態では、架橋部７６のうち可動部材７３と摺接する部位に摺接面７６Ａを設けたが、本発明はこれに限定されるものでなく、例えば摺接面７６Ａを廃止してもよい。
【００６１】
また、上述の実施形態では、バネアーム７５Ａに制振部材７５Ｄを装着したが、本発明はこれに限定されるものではなく、例えば、制振部材７５Ｄを廃止する、又は制振部材７５Ｄを延出部７５Ｃに装着する等してもよい。
【００６２】
また、本発明は、特許請求の範囲に記載された発明の趣旨に合致するものであればよく、上述の実施形態に限定されるものではない。
【符号の説明】
【００６３】
１… 複合機  ３… 傾斜面  ３Ａ… 操作部  ３Ｃ… 操作パネル
３Ｂ… 表示部  ５… 読取部  ５Ａ… プラテン  ５Ｂ… 撮像素子
５Ｄ… 搬送ローラ  ５Ｅ… 搬送ローラ  ７… 自動原稿搬送機構
９… 画像形成部  ９Ａ… 感光ドラム  ９Ｂ… 現像ユニット  ９Ｃ… 露光器
９Ｄ… 転写体  １１… 原稿トレイ  １３… 排出トレイ  １５… ベース部材
１５Ａ… 連結部  １７… パネル部材  ７１… 分離ローラ  ７２… 分離片
７３… 可動部材  ７３Ａ… 当接部  ７３Ｂ… 揺動軸
７３Ｃ… バネ座  ７３Ｄ… 摺動部材  ７３Ｅ… 延出部  ７３Ｆ… 折曲部
７４… バネ  ７５Ａ… バネアーム  ７５Ｂ… 曲面  ７５Ｃ… 延出部
７５Ｄ… 制振部材  ７６… 架橋部  ７６Ａ… 摺接面
【図１】
0005699946.tif 000002
【図２】
0005699946.tif 000003
【図３】
0005699946.tif 000004
【図４】
0005699946.tif 000005
【図５】
0005699946.tif 000006
【図６】
0005699946.tif 000007
【図７】
0005699946.tif 000008
【図８】
0005699946.tif 000009